(57)【特許請求の範囲】
【請求項１】
入力端子と複数の端末端子とを有する共同受信システムにおいて今まで未使用の周波数であって新たに伝送しようとする共同受信信号と同じ周波数帯域で既知のテスト信号を、前記入力端子から前記共同受信システムに供給可能な可搬型の送信機と、
前記複数の端末端子それぞれに接続可能に構成され、前記共同受信システムを伝送された前記テスト信号を受信し、受信した前記テスト信号のレベルに基づいて前記各端末端子における伝送損失が、前記共同受信システムの改修不要な第１の伝送損失範囲であるか、前記共同受信システムの大幅な改修が必要な第２の伝送損失範囲であるか、或いは前記共同受信システムの前記入力端子にブースタの追加を必要とする第３の伝送損失範囲であるかを識別し、表示する可搬型の受信機とを、
具備し、前記受信機は、少なくとも３つの表示手段を有し、前記各表示手段には、それぞれ前記第１乃至第３の伝送損失範囲が対応し、前記識別された伝送損失が該当する前記第１乃至第３の伝送損失範囲に対応する前記表示手段が、他の表示手段と表示状態を異ならせる共同受信システム用診断システム。
【請求項２】
入力端子と複数の端末端子とを有する共同受信システムにおいて新たに伝送しようとする共同受信信号と同じ周波数帯域で既知のテスト信号を、前記入力端子から前記共同受信システムに供給可能な可搬型の送信機と、
前記複数の端末端子それぞれに接続可能に構成され、前記共同受信システムを伝送された前記テスト信号を受信し、受信した前記テスト信号のレベルに基づいて前記各端末端子における伝送損失を識別し、表示する可搬型の受信機とを、
具備し、前記受信機は、バッテリーと操作手段とを、有し、前記操作手段の操作により、前記共同受信システムに前記各端末端子から前記バッテリーからの直流信号を伝送可能に構成され、前記送信機は、前記入力端子から前記直流信号を受けたとき、前記テスト信号のレベルを変化させる共同受信システム用診断システム。
【発明の詳細な説明】
【技術分野】
【０００１】
本発明は、家庭または集合住宅において使用する共同受信システムが広帯域化されたものであるか否かを診断する装置に関し、特に伝送損失に基づいて診断する診断システムに関する。
【背景技術】
【０００２】
従来、特許文献１に開示されているような光共同受信施設がある。この光共同受信施設では、光送信器を持つ送信局と加入者宅に設けた光受信器との間を光ファイバで結び、光受信器と加入者宅の複数の受像機を電気ケーブルで接続してある。
【先行技術文献】
【特許文献】
【０００３】
【特許文献１】特開平１０−１９１２９８号公報
【特許文献２】特開２００５−２０７７９８号公報
【発明の概要】
【発明が解決しようとする課題】
【０００４】
このような光共同受信施設が、今まで使用されていた電気ケーブルを用いた共同受信施設に置き換えて使用されることがある。この新たな光共同受信施設では、今まで伝送されていなかった共同受信信号が新たに伝送されることがある。例えば衛星放送中間周波信号や衛星通信中間周波信号が新たに伝送され、共同受信施設が広帯域化されることがある。この広帯域化に対応して、加入者宅内において複数の受像機に共同受信信号を伝送する共同受信システムが、既に広帯域化されたものであるのか、広帯域化するための改修工事が必要であるのか調査する必要があった。例えば特許文献２には、光伝送路において広帯域化が可能か否か診断する技術が開示されているが、電気ケーブルを使用した家庭等の共同受信システムにおいて広帯域化が可能か診断できるものではなかった。
【０００５】
本発明は、電気ケーブルを使用した家庭等の共同受信システムにおいて、広帯域化が行われているか否かを診断する診断システムを提供することを目的とする。
【課題を解決するための手段】
【０００６】
本発明の一態様の共同受信システム用診断システムは、いずれも可搬型の送信機と受信機とを具備している。これらは、入力端子と複数の端末端子とを有する共同受信システムにおいて使用される。この共同受信システムは、電気ケーブル、例えば同軸ケーブルを用いたものである。送信機は、共同受信システムにおいて今まで未使用の周波数であって新たに伝送しようとする共同受信信号と同じ周波数帯域で既知のレベルのテスト信号を、前記入力端子から前記共同受信システムに供給可能である。新たに伝送しようとする共同受信信号としては、例えば共同受信システムが新たに光共同受信施設に接続されることになり、今まで伝送されていた共同受信信号とは異なる周波数のものである。具体的には今まで伝送されていなかったＧＨｚ帯の衛星放送中間周波信号や衛星通信中間周波信号が該当する。テスト信号としては、例えば無変調のものを使用することができ、そのレベルを既知のレベルとするために、送信機は、例えば自動利得制御手段を備えたものとすることができる。テスト信号としては、新たに伝送しようとする共同受信信号が複数ある場合には、これらにそれぞれ対応する異なる周波数のものを複数使用することもできるし、新たに伝送しようとする複数の共同受信信号のうち特定の１周波数のもの、例えば最も周波数が高いものを使用することもできる。受信機は、前記複数の端末端子それぞれに接続可能に構成されている。受信機は、前記共同受信システムを伝送された前記テスト信号を、各端末端子に接続されて受信し、受信した前記テスト信号のレベルに基づいて前記各端末端子における伝送損失が、前記共同受信システムの改修不要な第１の伝送損失範囲であるか、前記共同受信システムの大幅な改修が必要な第２の伝送損失範囲であるか、或いは前記共同受信システムの前記入力端子にブースタの追加を必要とする第３の伝送損失範囲であるかを識別し、表示する。伝送損失の識別法としては、テスト信号のレベルをレベル検出手段によって検出し、その検出されたレベルを予め定めた基準信号と比較手段によって比較することによって行うこともできる。或いは、利得調整手段と、この利得調整手段を制御する制御手段と、受信したテスト信号のレベルを検出し、そのレベル検出信号を制御手段に供給するレベル検出手段とを備え、レベル検出手段からのレベル検出信号を制御手段に供給し、利得調整手段でのレベルが予め定めた値となるように制御手段が利得制御信号を利得調整手段に供給するように構成し、この利得制御信号を予め定めた基準信号と比較手段において比較するように構成することもできる。前記受信機は、少なくとも３つの表示手段を有し、前記各表示手段には、それぞれ前記第１乃至第３の伝送損失範囲が対応し、前記識別された伝送損失が該当する前記第１乃至第３の伝送損失範囲に対応する前記表示手段が、他の表示手段と表示状態を異ならせる。
【０００７】
このように構成された共同受信システム用診断システムでは、共同受信システムの入力端子に送信機を接続し、共同受信システムの各端末端子に受信機を順に接続し、各端末端子でテスト信号を受信する。その受信レベルが検出されると、テスト信号のレベルは既知であるので、共同受信システムにおける伝送損失が受信機側で判明する。これによって、新たに伝送しようとしている共同受信信号を、共同受信システムの改修を行わなくても伝送可能であるか、改修が必要であるか診断できる。
【０００８】
前記受信機は、バッテリーと操作手段とを、有するものとすることができる。この場合、前記操作手段の操作により、前記共同受信システムに前記各端末端子から前記バッテリーからの直流信号を伝送可能に構成されている。例えば直流電流を各端末端子から供給する。前記送信機は、前記入力端子から前記直流信号を受けたとき、前記テスト信号のレベルを変化させる。例えばテスト信号の入力端子からの供給を停止するとか、テスト信号のレベルを今までよりも小さくするとか大きくする。
【０００９】
このように構成すると、端末端子側から入力端子側に直流信号が伝送されると、送信機側からのテスト信号のレベルが変化するので、受信機側での伝送損失に関する表示が、今までのものと変化する。このように表示が変化することによって、受信機が接続されている端末端子から入力端子側に直流信号の伝送が可能であることが判明し、例えば入力端子に接続される機器に対する動作電源装置を、受信機が接続されている端末端子に接続することが可能であることが判明する。一方、いずれの端末端子に受信機を接続した状態において、操作手段を操作しても、表示が変化しない場合、いずれの端末端子からも入力端子側に直流信号の伝送が現状では不可能であることが判明し、例えば改修工事が必要であることが判明する。
【発明の効果】
【００１０】
以上のように、本発明によれば、新たな共同受信信号を共同受信システムに伝送するに際して、共同受信システムの改修が必要であるか否かを早期に知ることができる。
【図面の簡単な説明】
【００１１】
【図１】本発明の第１の実施形態の共同受信システム用診断システムの送信機及び受信機のブロック図である。
【図２】図１の送信機及び受信機の斜視図である。
【図３】図１の送信機及び受信機を診断しようとする共同受信システムに接続した状態のブロック図である。
【図４】本発明の第２の実施形態の共同受信システム用診断システムの送信機及び受信機のブロック図である。
【発明を実施するための形態】
【００１２】
本発明の第１の実施形態の共同受信システム用診断システムは、例えば図３（ａ）、（ｂ）に示すような共同受信システム２、４の伝送損失を測定して、広帯域化されているものか否かを診断する。
【００１３】
図３（ａ）の共同受信システム２は、例えば一戸建ての家屋において使用されるもので、入力端子６を有し、この入力端子６は電気ケーブル、例えば同軸ケーブルを介して分配手段、例えば４分配器８に接続されている。４分配器８の各分配端子は、この家屋の各部屋に設けられた４つの端末端子１０ａ、１０ｂ、１０ｃ、１０ｄに同軸ケーブルを介して接続されている。なお、家屋の構造によっては、４分配器に代えて他の分配数の分配器が使用され、それに応じて端末端子の数も変化する。
【００１４】
図３（ｂ）の共同受信システム４は、例えば１棟の集合住宅において使用されるもので、入力端子１２を有し、この入力端子１２は同軸ケーブルを介して１分岐器１４ａの入力側に接続されている。１分岐器１４ａの分岐側が同軸ケーブルを介して集合住宅の１つの住宅の所定の部屋に設けた端末端子１６ａに接続されている。１分岐器１４ａの出力側は、同軸ケーブルを介して１分岐器１４ｂに接続されている。１分岐器１４ｂの分岐側は、同軸ケーブルを介して集合住宅の別の住宅の所定の部屋に設けた端末端子１６ｂに接続されている。以下、同様に１分岐器１４ｃ、１４ｄ、端末端子１６ｃ、１６ｄが接続されている。この共同受信システム４でも、集合住宅の住宅数に応じて１分岐器や端末端子の数は増減する。
【００１５】
共同受信システム２、４は、例えば今までアンテナで直接受信したテレビジョン放送受信信号または同軸ケーブルを使用した共同受信施設から共同受信信号が供給されていたが、光共同受信施設を伝送されてきた光共同受信信号を光−電気変換装置によって電気共同受信信号に変換したものの供給を受けるようになるものである。今までは例えばＵＨＦ帯までの周波数の共同受信信号やＵＨＦ帯のテレビ受信信号を共同受信システム２、４は伝送していたのが、これに加えてＧＨｚ帯の周波数の信号、例えば衛星放送中間周波信号や衛星通信中間周波信号も伝送されるようになったものである。そのため、共同受信システム２または４において使用されている機器、例えば同軸ケーブルや分配器１０や１分岐器１４ａ乃至１４ｄが、衛星放送中間周波信号や衛星通信中間周波信号を伝送可能なものであるか診断するために、共同受信システム用診断システムが使用される。
【００１６】
この共同受信システム用診断システムは、送信機２０と受信機２２とを有している。送信機２０及び受信機２２とは、図２に示すように可搬型のもので、小型の送信機ケース２４及び受信機ケース２６内にそれぞれ構成されている。
【００１７】
送信機２０は、図１（ａ）に示すように、発振部２８を有している。発振部２８は、共同受信システム２または４において新たに導入される衛星放送中間周波信号や衛星通信中間周波信号のうち周波数が高いものの中心周波数付近の周波数帯域のテスト信号を発振するものである。なお、発振周波数を固定することもできるし、衛星放送中間周波信号及び衛星通信中間周波信号の中心周波数付近の周波数帯域のテスト信号をそれぞれ発振できるように、発振周波数を可変とすることもできる。例えば、発振周波数の可変指示は、制御回路３０から発振部２８に供給される。また、発振開始の指示も制御回路３０から与えられる。制御回路３０は、図示していないテスト信号発振開始指示スイッチが操作されることによって、発振開始指示を発振部２８に与える。
【００１８】
発振部２８からのテスト信号は、例えば減衰器の利得調整部３２に供給される。この利得調整部３２の出力信号は増幅手段、例えば増幅部３４によって増幅される。その増幅出力が１分岐器３６及び直流阻止コンデンサ３８を介して出力端子４０に供給される。１分岐器３６の分岐出力は、信号検出部４２に供給され、ここで増幅部３４の増幅出力のレベルが検出される。信号検出部４２からのレベル検出信号が利得調整部３２に供給される。利得調整部３２は、増幅部３４に供給するテスト信号のレベルが一定になるように発振部２８からのテスト信号を調整して出力する。このように、この送信機２０は、テスト信号の自動利得制御を備えている。出力端子４０から出力されるテスト信号のレベルが予め定めたものとなるように、信号検出部４２は構成されている。この送信機２０の発振部２８、制御回路３０、利得調整部３２、増幅部３４、信号検出部４２は、送信機ケース２４内に収容され、同じく送信機ケース２４内に配置されたバッテリー４４から供給される直流電力によって動作する。
【００１９】
送信機２０は、その出力端子４０を図３（ａ）、（ｂ）に示すように、共同受信システム２または４の入力端子６または１２に接続され、テスト信号を共同受信システム２または４に供給する。
【００２０】
受信機２２は、図２に示すように入力端子４６を有している。この入力端子４６が、共同受信システム２または４の端末端子１０ａ乃至１０ｄまたは１６ａ乃至１６ｄに順に接続され、共同受信システム２または４を伝送されたテスト信号を受ける。
【００２１】
受信機２２では、入力端子４６からのテスト信号が直流阻止コンデンサ４８を介して増幅手段、例えば増幅部５０に供給される。増幅部５０において増幅されたテスト信号は、信号検出部５２に供給される。
【００２２】
信号検出部５２は、増幅部５０からのテスト信号のレベルを検出するレベル検出部（図示せず）を有し、このレベル検出部からのレベル検出信号を、複数、例えば４つの異なる基準信号とそれぞれ比較器（図示せず）で比較される。これら基準信号は、共同受信システム２、４の入力端子６、１２に供給されたテスト信号が共同受信システム２、４に伝送されて、端末端子１０ａ乃至１０ｄのいずれかまたは端末端子１６ａ乃至１６ｄのいずれかで受信されたときに、レベル検出部のレベル検出信号のレベルが、元のテスト信号（送信機２０から送信されるテスト信号の出力レベル）よりも３０ｄＢ、２０ｄＢ、１０ｄＢ、０ｄＢの伝送損失を受けているのに相当するレベルに設定されている。これら比較器での比較結果に基づいて表示部５４に表示がされる。
【００２３】
この表示部５４は、例えば図２に示すように、４つの表示手段、例えばＬＥＤ５４ａ乃至５４ｄによって構成されている。ＬＥＤ５４ａは、３０ｄＢ以上の伝送損失に対応し、３０ｄＢ以上の伝送損失が共同受信システム２または４で生じているとき、ＬＥＤ５４ａが他のＬＥＤ５４ｂ乃至５４ｄと表示状態を変更し、例えばＬＥＤ５４ａのみが点灯する。ＬＥＤ５４ｂは２０ｄＢ以上で３０ｄＢ未満の伝送損失に対応し、２０ｄＢ以上で３０ｄＢ未満の伝送損失が生じているとき、ＬＥＤ５４ｂのみが点灯する。ＬＥＤ５４ｃは、１０ｄＢ以上２０ｄＢ未満の伝送損失に対応し、１０ｄＢ以上２０ｄＢ未満の伝送損失が生じているとき、ＬＥＤ５４ｃのみが点灯する。ＬＥＤ５４ｄは、０ｄＢ以上１０ｄＢ未満の伝送損失に対応し、０ｄＢ以上１０ｄＢ未満の伝送損失が生じているとき、ＬＥＤ５４ｄのみが点灯するように、各比較器での比較結果が信号検出部５２において処理されている。
【００２４】
従って、ＬＥＤ５４ａ乃至５４ｄのいずれが点灯するかによって共同受信システム２または４の改修が必要であるか否かを簡易に診断することができる。例えば、いずれの端末端子１０ａ乃至１０ｄまたは１６ａ乃至１６ｄでも、ＬＥＤ５４ａが点灯する場合、共同受信システム２または４は、ＧＨｚ帯の信号を大きく減衰させて伝送するものであると想定でき、広帯域化するために同軸ケーブルや分配器や１分岐器の取り替えを伴う大幅な改修が必要であると診断できる。また、ＬＥＤ５４ｄが点灯する場合、共同受信システム２または４は、ＧＨｚ帯の信号を大きく減衰させることなく伝送できるものであると想定でき、改修が不要であると診断できる。また、ＬＥＤ５４ｂまたは５４ｃが点灯する場合には、改修として共同受信システム２または４自体の改修は不要で、例えば入力端子６または１２と光−電気変換装置との間にブースタを設置すればよいと想定でき、改修は小幅なものであると診断できる。
【００２５】
この受信機２２の増幅部５０、信号検出部５２、表示部５４は、受信機ケース２６内に設置され、これらは、受信機ケース２６内に設置されたバッテリー５６からの直流電力によって動作する。
【００２６】
送信機２０及び受信機２２は、小型の送信機ケース２４及び受信機ケース２６内にそれぞれ収容されているので、携帯が容易であり、異なる場所にある家庭の共同受信システムでの改修が必要であるか否かの判定をするのに便利である。
【００２７】
本発明の第２の実施形態の共同受信システム用診断システムを、図４に示す。この共同受信システム用診断システムは、共同受信システム２または４において、各端末端子１０ａ乃至１０ｄまたは１６ａ乃至１６ｄのいずれかから、入力端子６または１２に直流電流を伝送することができるか否かを、各端末端子１０ａ乃至１０ｄまたは１６ａ乃至１６ｄ側で判定することができるようにしたものである。例えば共同受信システム２または４の入力端子６または１２の近傍には、光−電気変換装置が設置されるが、これに対する動作電力をいずれかの端末端子から伝送できるなら、動作電力の供給に関してはなんら改修は不要であり、伝送できないなら、例えば共同受信システム２の分配器８や、共同受信システム４の１分岐器１４ａ乃至１４ｄを通電型に改修したり、入力端子６または１２の近傍に動作電源装置を設置したりする必要がある。このような改修や設置が必要であるか否かを、端末端子側で診断できるようにしたのが、第２の実施形態の共同受信システム用診断システムである。
【００２８】
受信機２２ａでは、バッテリー５６と入力端子４６との間に、操作手段、例えば開閉スイッチ５８と高周波阻止コイル６０とが接続されている。開閉スイッチ５８は、非操作状態では開放されており、操作状態において閉成される。受信機２２ａの他の構成は、受信機２２と同一であるので、同一部分には同一符号を付して説明を省略する。
【００２９】
送信機２０ａでは、出力端子４０には高周波阻止コイル６０を介してテスト信号レベル変更手段、例えば開閉スイッチ６２が接続されている。開閉スイッチ６２は、バッテリー４４からの動作電力を制御回路３０に対して断続することができるものである。開閉スイッチ６２に直流電流が非供給のとき、開閉スイッチ６２は、バッテリー４４からの動作電力を制御回路３０に供給し、制御回路３０が正常に動作し、その結果、発振部２８からテスト信号が出力される。開閉スイッチ６２に直流電流が供給されたとき、開閉スイッチ６２は、バッテリー４４からの動作電力を制御回路３０に予め定めた時間にわたって非供給とする。その結果、制御回路３０が動作停止し、発振部２８からテスト信号は出力されない。送信機２０ａの他の構成は、送信機２０の構成と同一であるので、同一部分には同一符号を付して、説明を省略する。
【００３０】
このように送信機２０ａを構成しているので、送信機２０ａを共同受信システム２または４の入力端子６または１２に接続し、受信機２２ａを共同受信システム２または４の端末端子１０ａ乃至１０ｄまたは１６ａ乃至１６ｄに順に接続して、第１の実施形態と同様に伝送損失を測定した後、受信機２２ａにおいてスイッチ５８を操作する。共同受信システム２または４において、受信機２２ａが接続された端末端子から入力端子６または１２に直流信号、例えば直流電流を伝送可能であるなら、送信機２０ａの出力端子４０、高周波阻止コイル６０を介してスイッチ６２に直流電流が流れ、スイッチ６２は、バッテリー４４から制御回路３０への電流供給を停止する。その結果、発振部２８が動作を停止する。
【００３１】
これによって、受信機２２ａでは、今まで受信していたテスト信号を受信できなくなり、表示部５４では、最も伝送損失が大きいことを表すＬＥＤ５４ａが点灯する。スイッチ５８を操作する前に、ＬＥＤ５４ａ以外のＬＥＤ５４ｂ乃至５４ｄのいずれかが点灯していたなら、ＬＥＤ５４ａの点灯に変化したことにより、受信システム２または４において受信機２２ａが接続されている端末端子から直流電流が入力端子６または１２に伝送可能であり、共同受信システム２又は４の改修が不要であると診断できる。ＬＥＤ５４ａ以外のＬＥＤが点灯していた状態で、スイッチ５８を操作してもＬＥＤ５４ａの点灯に変化しなければ、受信機２２ａから直流電流が共同受信システム２または４を介して送信機２０ａに伝送されて無く、受信システム２または４において受信機２２ａが接続されている端末端子から直流電流が入力端子６または１２に伝送不能であり、共同受信システム２又は４の改修が必要であると診断できる。
【００３２】
上記の両実施形態では、受信機２２、２２ａの信号検出部５２は、増幅部５０の出力のレベルを検出し、そのレベルを異なる基準信号と比較するように構成したが、例えば増幅部５０に自動利得制御回路を設け、その自動利得制御回路において自動利得制御するための自動利得制御信号を異なる値の基準信号と比較するように構成することもできる。また、上記の両実施形態では、受信機２２、２２ａの表示部５４は、４段階に伝送損失を表示するように構成したが、１つ以上の基準信号を使用して、２段階以上の任意の段階で伝送損失を表示することができる。また、表示部５４としてＬＥＤ５４ａ乃至５４ｄを使用したが、これらに代えて、例えば文字や図形を表示することができる１つの液晶表示部を使用することもできる。この場合、第１の実施形態と同様に３０ｄＢ以上の伝送損失、３０乃至２０ｄＢの伝送損失、２０乃至１０ｄＢの伝送損失、１０乃至０ｄＢの伝送損失と文字で表示することもできるし、改修必要、改修不要等の文字を表示することもできる。また、上記の両実施形態では、ＬＥＤ５４ａ乃至５４ｄのうち、識別された伝送損失が該当する伝送損失範囲に対応するＬＥＤのみが点灯したが、逆に識別された伝送損失が該当する伝送損失範囲に対応するＬＥＤのみを消灯させ、他のＬＥＤを点灯させるように構成することもできる。上記の両実施形態では、共同受信システム２、４について診断する場合を示したが、これらに限ったものではなく、他の構成の共同受信システムを診断することもできる。例えば双方向の共同受信システムを診断することもできる。
【００３３】
第２の実施形態では、直流電流が供給されることによってスイッチ６２を開放して制御回路を停止させて、発振部２８からの発振を停止させたが、例えば直流電流が供給されたことを検出したことによって、制御回路３０から利得調整部３２に制御信号を供給して、利得制御部３２から出力されるテスト信号のレベルを低下させるように構成することもできる。
【符号の説明】
【００３４】
２  ４  共同受信システム
２０  ２０ａ  送信機
２２  ２２ａ  受信機
【図１】
0005501817.tif 000002
【図２】
0005501817.tif 000003
【図３】
0005501817.tif 000004
【図４】
0005501817.tif 000005